(57)【要約】【課題】ユーザが操作を行わなくても車両の状態に適した動作モードに変更する。【解決手段】画像表示システムにおいては、表示装置３の表示画面３０は前面側にハーフミラーを有している。また、表示制御装置の画像取得部は車両の周辺を撮影するカメラの撮影画像を取得する。画像表示システムは動作モードとして、表示装置３に撮影画像５を表示させる画像表示モードＭ１と、表示装置３を非表示状態にして表示画面３０をミラーとして機能させるミラーモードＭ２とを備えている。そして、状態判定部は車両に係る信号に基づいて車両の状態を判定し、モード設定部が車両の状態に応じて動作モードを設定する。【選択図】図５
2017058600.tif 000002
【特許請求の範囲】
【請求項１】
車両の車室内に配置される表示装置を制御する表示制御装置であって、
前記表示装置の表示画面は、ハーフミラーを有し、
前記表示制御装置は、
前記車両の周辺を撮影するカメラの撮影画像を取得する取得手段と、
前記車両に係る信号に基づいて、前記車両の状態を判定する判定手段と、
前記判定手段が判定した前記車両の状態に応じて動作モードを設定する設定手段と、
を備え、
前記動作モードは、
前記表示装置に前記撮影画像を表示させる第１モードと、
前記表示装置を非表示状態にして前記表示画面をミラーとして機能させる第２モードとを含むことを特徴とする表示制御装置。
【請求項２】
請求項１に記載の表示制御装置において、
前記判定手段は、前記車両の状態が走行状態か停車状態かを判定し、
前記設定手段は、
前記車両の状態が前記走行状態と判定された場合は、前記動作モードを前記第１モードに設定し、
前記車両の状態が前記停車状態と判定された場合は、前記動作モードを前記第２モードに設定することを特徴とする表示制御装置。
【請求項３】
請求項２に記載の表示制御装置において、
前記判定手段は、前記車両の速度を示す信号に基づいて前記車両の状態が前記走行状態か前記停車状態かを判定することを特徴とする表示制御装置。
【請求項４】
請求項３に記載の表示制御装置において、
前記判定手段は、前記車両の速度が所定速度以下の状態が所定時間継続した場合に、前記車両の状態が前記停車状態と判定することを特徴とする表示制御装置。
【請求項５】
請求項３または４に記載の表示制御装置において、
前記判定手段は、前記車両の速度が所定速度を超える状態が所定時間継続した場合に、前記車両の状態が前記走行状態と判定することを特徴とする表示制御装置。
【請求項６】
請求項２に記載の表示制御装置において、
前記判定手段は、前記車両のシフトポジションを示す信号に基づいて前記車両の状態が前記走行状態か前記停車状態かを判定することを特徴とする表示制御装置。
【請求項７】
請求項１に記載の表示制御装置において、
前記判定手段は、
前記車両のシフトポジションがドライブの場合は、前記車両の速度に応じて前記車両の状態が走行状態か停車状態かを判定し、
前記車両のシフトポジションがリバースの場合は、前記車両の速度に関わらず前記車両の状態は後退状態と判定し、
前記設定手段は、
前記車両の状態が前記走行状態及び前記後退状態のいずれかと判定された場合は、前記動作モードを前記第１モードに設定し、
前記車両の状態が前記停車状態と判定された場合は、前記動作モードを前記第２モードに設定することを特徴とする表示制御装置。
【請求項８】
車両で用いられる画像表示システムであって、
前記車両の車室内に配置され、ハーフミラーを有する表示画面を備えた表示装置と、
前記表示装置を制御する請求項１ないし７のいずれかに記載の表示制御装置と、
を備えることを特徴とする画像表示システム。
【請求項９】
車両の車室内に配置される表示装置を制御する表示制御方法であって、
前記表示装置の表示画面は、ハーフミラーを有し、
前記表示制御方法は、
（ａ）前記車両の周辺を撮影するカメラの撮影画像を取得する工程と、
（ｂ）前記車両に係る信号に基づいて、前記車両の状態を判定する工程と、
（ｃ）前記工程（ｂ）が判定した前記車両の状態に応じて動作モードを設定する工程と、
を備え、
前記動作モードは、
前記表示装置に前記撮影画像を表示させる第１モードと、
前記表示装置を非表示状態にして前記表示画面をミラーとして機能させる第２モードとを含むことを特徴とする表示制御方法。
【発明の詳細な説明】
【技術分野】
【０００１】
本発明は、車両の周辺の画像を表示する技術に関する。
【背景技術】
【０００２】
一般に、自動車などの車両のドライバは、車室内に配置されるルームミラー（インナーリアビューミラー）を用いて車両の周辺の後方の様子を確認する。しかしながら、このようなルームミラーを用いた場合でも、車室内の後部の荷物などで視界が遮られることにより、車両の周辺の後方の確認が難しくなる場合がある。また、コンテナを有するトラックなどの車両の場合は、車両の周辺の後方の確認にルームミラーが利用できない場合もある。
【０００３】
このため、近年、カメラを用いて車両の周辺の後方を撮影して撮影画像を取得し、該撮影画像を車室内のルームミラーの位置に配置された表示装置に表示する画像表示システムが提案されている。この画像表示システムのユーザとなる車両のドライバは、車室内の後部の荷物などの影響を受けずに、車両の周辺の後方の様子を安定して確認できる（例えば、特許文献１参照。）。
【先行技術文献】
【特許文献】
【０００４】
【特許文献１】特開２００９−１１７９７１号公報
【発明の概要】
【発明が解決しようとする課題】
【０００５】
ところで、車両のドライバは、一般的なルームミラーを用いて、車両の周辺の後方の様子のみならず、同乗者や荷物などの車室内の後部の様子を確認する場合もある。上記の画像表示システムでは車室内を示す画像は表示されないため、ユーザは、車室内の後部の様子を確認することはできない。
【０００６】
このため、表示装置の表示画面にハーフミラーを有する画像表示システムが提案されている。この画像表示システムでは、表示装置を非表示状態にしてハーフミラーの内側を暗くすることで、車室内の後部の物体の像を映すミラーとして表示装置の表示画面を機能させることができる。
【０００７】
このような画像表示システムでは、表示装置が撮影画像を表示する動作モードと、表示装置の表示画面をミラーとして機能させる動作モードとが、ユーザの操作によって切り替えられる。しかしながら、ユーザは、動作モードの切り替え操作を煩わしく感じる場合があり、車両の状態に適しない動作モードに設定された状態のままで、車両の運転を継続する可能性がある。
【０００８】
本発明は、上記課題に鑑みてなされたものであり、ユーザが操作を行わなくても車両の状態に適した動作モードに変更できる技術を提供することを目的とする。
【課題を解決するための手段】
【０００９】
上記課題を解決するため、請求項１の発明は、車両の車室内に配置される表示装置を制御する表示制御装置であって、前記表示装置の表示画面は、ハーフミラーを有し、前記表示制御装置は、前記車両の周辺を撮影するカメラの撮影画像を取得する取得手段と、前記車両に係る信号に基づいて、前記車両の状態を判定する判定手段と、前記判定手段が判定した前記車両の状態に応じて動作モードを設定する設定手段と、を備え、前記動作モードは、前記表示装置に前記撮影画像を表示させる第１モードと、前記表示装置を非表示状態にして前記表示画面をミラーとして機能させる第２モードとを含む。
【００１０】
また、請求項２の発明は、請求項１に記載の表示制御装置において、前記判定手段は、前記車両の状態が走行状態か停車状態かを判定し、前記設定手段は、前記車両の状態が前記走行状態と判定された場合は、前記動作モードを前記第１モードに設定し、前記車両の状態が前記停車状態と判定された場合は、前記動作モードを前記第２モードに設定する。
【００１１】
また、請求項３の発明は、請求項２に記載の表示制御装置において、前記判定手段は、前記車両の速度を示す信号に基づいて前記車両の状態が前記走行状態か前記停車状態かを判定する。
【００１２】
また、請求項４の発明は、請求項３に記載の表示制御装置において、前記判定手段は、前記車両の速度が所定速度以下の状態が所定時間継続した場合に、前記車両の状態が前記停車状態と判定する。
【００１３】
また、請求項５の発明は、請求項３または４に記載の表示制御装置において、前記判定手段は、前記車両の速度が所定速度を超える状態が所定時間継続した場合に、前記車両の状態が前記走行状態と判定する。
【００１４】
また、請求項６の発明は、請求項２に記載の表示制御装置において、前記判定手段は、前記車両のシフトポジションを示す信号に基づいて前記車両の状態が前記走行状態か前記停車状態かを判定する。
【００１５】
また、請求項７の発明は、請求項１に記載の表示制御装置において、前記判定手段は、前記車両のシフトポジションがドライブの場合は、前記車両の速度に応じて前記車両の状態が走行状態か停車状態かを判定し、前記車両のシフトポジションがリバースの場合は、前記車両の速度に関わらず前記車両の状態は後退状態と判定し、前記設定手段は、前記車両の状態が前記走行状態及び前記後退状態のいずれかと判定された場合は、前記動作モードを前記第１モードに設定し、前記車両の状態が前記停車状態と判定された場合は、前記動作モードを前記第２モードに設定する。
【００１６】
また、請求項８の発明は、車両で用いられる画像表示システムであって、前記車両の車室内に配置され、ハーフミラーを有する表示画面を備えた表示装置と、前記表示装置を制御する請求項１ないし７のいずれかに記載の表示制御装置と、を備えている。
【００１７】
また、請求項９の発明は、車両の車室内に配置される表示装置を制御する表示制御方法であって、前記表示装置の表示画面は、ハーフミラーを有し、前記表示制御方法は、（ａ）前記車両の周辺を撮影するカメラの撮影画像を取得する工程と、（ｂ）前記車両に係る信号に基づいて、前記車両の状態を判定する工程と、（ｃ）前記工程（ｂ）が判定した前記車両の状態に応じて動作モードを設定する工程と、を備え、前記動作モードは、前記表示装置に前記撮影画像を表示させる第１モードと、前記表示装置を非表示状態にして前記表示画面をミラーとして機能させる第２モードとを含む。
【発明の効果】
【００１８】
請求項１ないし９の発明によれば、車両の状態に応じて動作モードを設定するため、ユーザが操作を行わなくても車両の状態に適した動作モードに変更できる。
【００１９】
また、特に請求項２の発明によれば、車両の状態が走行状態と判定された場合に、動作モードを第１モードとするため、ユーザが車両の周辺の様子を確認できる。また、車両の状態が停車状態と判定された場合に、動作モードを第２モードとするため、ユーザが車室内の様子を確認できる。
【００２０】
また、特に請求項３の発明によれば、車両の状態が走行状態か停車状態かを容易に判定できる。
【００２１】
また、特に請求項４の発明によれば、車両の速度が所定速度以下の状態が所定時間継続するまで車両の状態が停車状態と判定されない。このため、車両が短時間の走行と停車とを繰り返す場合でも動作モードが頻繁に変更されないことから、ユーザは表示装置を安定して利用できる。
【００２２】
また、特に請求項５の発明によれば、車両の速度が所定速度を超える状態が所定時間継続するまで車両の状態が走行状態と判定されない。このため、車両が短時間の走行と停車とを繰り返す場合でも動作モードが頻繁に変更されないことから、ユーザは表示装置を安定して利用できる。
【００２３】
また、特に請求項６の発明によれば、車両の状態が走行状態か停車状態かを容易に判定できる。
【００２４】
また、特に請求項７の発明によれば、シフトポジションがリバースの場合は、車両の速度に関わらず動作モードが第１モードに維持される。このため、シフトポジションがリバースの場合は、車両が短時間の走行と停車とを繰り返す場合でも、ユーザは車両の周辺の様子を安定して確認できる。
【図面の簡単な説明】
【００２５】
【図１】図１は、画像表示システムの概要を示す図である。
【図２】図２は、車両の車室内の前方の様子を示す図である。
【図３】図３は、画像表示システムの構成を示すブロック図である。
【図４】図４は、表示装置の表示画面の主な構成を示す図である。
【図５】図５は、表示装置の状態の例を示す図である。
【図６】図６は、第１の実施の形態の画像表示システムの処理の流れを示す図である。
【図７】図７は、第１の実施の形態の状態判定処理の流れを示す図である。
【図８】図８は、第２の実施の形態の状態判定処理の流れを示す図である。
【図９】図９は、第３の実施の形態の画像表示システムの処理の流れを示す図である。
【図１０】図１０は、第３の実施の形態の状態判定処理の流れを示す図である。
【図１１】図１１は、第４の実施の形態の状態判定処理の流れを示す図である。
【発明を実施するための形態】
【００２６】
以下、図面を参照しつつ本発明の実施の形態について説明する。
【００２７】
＜１．第１の実施の形態＞
＜１−１．画像表示システムの概要＞
図１は、画像表示システム１０の概要を示す図である。図に示すように、画像表示システム１０は、車両（本実施の形態では、自動車）９に搭載される。画像表示システム１０は、車両９の周辺の撮影画像を取得するカメラ１と、車両９の車室内に配置される表示装置３と、画像表示システム１０の全体を制御する表示制御装置２とを備えている。画像表示システム１０は、カメラ１を用いて車両９の周辺の撮影画像を取得し、該撮影画像を車室内の表示装置３で表示することが可能である。
【００２８】
カメラ１は、レンズと撮像素子とを備えており、車両９の周辺の被写体の像を含む撮影画像を電子的に取得する。カメラ１は、車両９の後端の上部に設けられ、その光軸１ａは車両９の前後方向に沿って後方に向けられる。したがって、カメラ１は、車両の周辺の後方に存在する被写体を撮影する。カメラ１のレンズは広角レンズであり、カメラ１は比較的広い画角θを有し、車両９の周辺の後方における比較的広い範囲を撮影できる。
【００２９】
図２は、車両９の車室内の前方の様子を示す図である。図に示すように、画像表示システム１０が採用される車両９では、車室内における一般的なルームミラーが配置される位置にルームミラーに代えて表示装置３が配置される。この表示装置３において、カメラ１で得られた車両９の周辺の後方を示す撮影画像が表示される。したがって、画像表示システム１０のユーザ（代表的には、車両９のドライバ）は、表示装置３に表示される撮影画像を視認することで、車両９の周辺の後方の様子を確認できる。
【００３０】
また、画像表示システム１０は、表示装置３の表示画面を、可視光線を反射するミラーとして機能させることも可能である。ユーザは、ミラーとして機能する表示装置３の表示画面に映る車室内の物体の像を確認することで、車室内の後部の同乗者や荷物の状態を確認することもできる。
【００３１】
このように画像表示システム１０は、表示装置３で撮影画像を表示する動作と、表示装置３の表示画面をミラーとして機能させる動作とが可能である。画像表示システム１０ではこれらの動作のいずれかが、画像表示システム１０の動作モードに応じて実行される。すなわち、画像表示システム１０は、表示装置３に撮影画像を表示させる画像表示モードと、表示装置３の表示画面をミラーとして機能させるミラーモードとの２つの動作モードを備えている。そして、画像表示システム１０では、ユーザが操作を行わなくても、車両９の状態に適した動作モードが設定されるようになっている。
【００３２】
＜１−２．画像表示システムの構成＞
図３は、画像表示システム１０の構成を示すブロック図である。画像表示システム１０は、前述したカメラ１、表示装置３及び表示制御装置２とともに、ユーザの操作を受け付ける操作ボタン４を備えている。カメラ１、表示装置３及び操作ボタン４は、表示制御装置２に対して電気的に接続される。
【００３３】
操作ボタン４は、ユーザの操作を受け付ける操作部材である。操作ボタン４は、例えば、車両９のステアリングホイール９５に設けられる（図２参照。）。なお、操作ボタン４は、表示装置３の表示画面の近傍など他の位置に設けられてもよい。
【００３４】
表示制御装置２は、表示装置３への表示に適するように、カメラ１で得られた撮影画像に対して各種の画像処理を行う。表示制御装置２は、画像取得部２１と、画像処理部２２と、画像出力部２３とを備えている。
【００３５】
画像取得部２１は、カメラ１で得られた撮影画像を取得する。画像処理部２２は、画像取得部２１が取得した撮影画像に対して、歪補正、輝度調整及びサイズ変更などの各種の画像処理を行う。これにより、画像処理部２２は、撮影画像の形式やサイズなどを、表示装置３への表示に適するように変更する。画像出力部２３は、画像処理部２２が処理した撮影画像を表示装置３に出力する。これにより、表示装置３の表示画面において撮影画像が表示される。
【００３６】
また、表示制御装置２は、制御部２０と、信号受信部２４と、記憶部２５とをさらに備えている。
【００３７】
信号受信部２４は、車両９に設けられる他の装置から送出される車両９に係る信号を、車載ネットワーク９０を介して受信する。信号受信部２４は、受信した信号を制御部２０に入力する。車両９に設けられる他の装置には、車速センサ９１及びシフトセンサ９２などが含まれる。信号受信部２６は、車速センサ９１から、車両９の速度を示す速度信号を受信する。また、信号受信部２６は、シフトセンサ９２から、車両９の変速装置のシフトポジションを示すシフト信号を受信する。
【００３８】
記憶部２５は、例えば、フラッシュメモリなどの不揮発性メモリであり、各種の情報を記憶する。記憶部２５は、ファームウェアとしてのプログラム、及び、各種のデータを記憶する。
【００３９】
制御部２０は、例えば、ＣＰＵ、ＲＡＭ及びＲＯＭなどを備えたマイクロコンピュータであり、画像表示システム１０の全体を統括的に制御する。制御部２０は、カメラ１及び表示装置３を含む画像表示システム１０の各処理部と電気的に接続されており、各処理部に信号を送出することでその動作を制御することが可能である。また、ユーザが操作ボタン４を操作した場合は、その操作の内容を示す信号が制御部２０に入力される。
【００４０】
制御部２０の各種の機能は、記憶部２５に記憶されたプログラムの実行（プログラムに従ったＣＰＵの演算処理）によって実現される。図中に示す状態判定部２０ａ、モード設定部２０ｂ及び動作制御部２０ｃは、プログラムの実行により実現される機能の一部である。
【００４１】
状態判定部２０ａは、信号受信部２４が受信する車両９に関わる信号に基づいて、車両９の状態を判定する。モード設定部２０ｂは、状態判定部２０ａが判定した車両９の状態に応じて、画像表示システム１０の動作モードを設定する。また、動作制御部２０ｃは、モード設定部２０ｂが設定した動作モードに応じた動作を行うように、画像表示システム１０の各処理部の動作を制御する。これらの機能の詳細については後述する。
【００４２】
＜１−３．表示装置のミラー化＞
次に、表示装置３についてより詳細に説明する。図４は、表示装置３の表示画面３０の主な構成を示す図である。図４に示すように、表示装置３の表示画面３０は、バックライト３１及び液晶パネル３２を備え、バックライト３１の前面側に液晶パネル３２が配置される。表示画面３０が画像を表示する際には、表示対象となる画像の各画素の値に応じて液晶パネル３２がバックライト３１の光を通過させる。
【００４３】
また、表示画面３０は、液晶パネル３２の前面側（ユーザが視認する側）に、ハーフミラー３３をさらに備えている。ハーフミラー３３は、マジックミラーあるいはミラーガラスとも呼ばれ、入射した光の一部を反射し一部を透過する性質を有する装置（ビームスプリッタ）である。
【００４４】
明暗の境界位置にハーフミラーを配置した場合、人間が暗い側からハーフミラーを見ると、反対側（明るい側）にある物体がハーフミラーを透過して見える。一方で、人間が明るい側からハーフミラーを見ると、自分側（明るい側）にある物体の像がハーフミラーに映って見える。すなわち、ハーフミラーが、可視光線を反射するミラーとして機能する。
【００４５】
前面側にハーフミラー３３を備える表示画面３０は、このようなハーフミラー３３の性質により、物体の像を映すミラーとして機能する。なお、表示画面３０に採用するハーフミラー３３の透過率と反射率とは視認性を考慮して設定されることが望ましく、透過率と反射率とは一致しなくてもよい。
【００４６】
図５は、表示装置３の状態の例を示す図である。まず、表示装置３が、図５の左側に示すカメラ１で得られた撮影画像５を表示する場合を想定する。この場合は、図５の右上に示すように、表示装置３の表示画面３０に撮影画像５が表示される。バックライト３１の発光によりハーフミラー３３の内側が明るくなるため、ユーザは明るく表示された撮影画像５に含まれる被写体の像Ｓｂ０を視認する。画像表示モードＭ１では、この原理によりユーザは車両９の周辺の後方の様子を確認できる。
【００４７】
次に、表示装置３が撮影画像５を表示しない場合（表示装置３を非表示状態にする場合）を想定する。表示装置３は、バックライト３１をオフにする（消灯する）ことにより、非表示状態となる。この場合は、図５の右下に示すように、表示装置３の表示画面３０が可視光線を反射するミラーとして機能する。この場合は、ハーフミラー３３の内側が暗くなるため、ユーザはハーフミラー３３に映る物体の像Ｓｂ１を視認する。ミラーモードＭ２では、この原理によりユーザは車室内の後部の同乗者や荷物の様子を確認できる。
【００４８】
＜１−４．画像表示システムの処理＞
次に、画像表示システム１０の処理について説明する。画像表示システム１０においては、表示制御装置２の状態判定部２０ａが車両９の状態を判定し、モード設定部２０ｂが車両９の状態に応じて動作モードを設定する。
【００４９】
車両９の走行中においては、ユーザ（車両９のドライバ）は、車両９の周辺の状況を的確に把握する必要がある。このため、車両９の走行中は、車両９の周辺の後方の様子を確認可能な画像表示モードとすることが望ましい。一方で、ユーザ（車両９のドライバ）が車室内の後部の様子を確認するのは、通常、車両９の停車中である。このため、車両９の停車中は、車室内の後部の様子を確認可能なミラーモードとすることが望まれる。
【００５０】
したがって、画像表示システム１０においては、表示制御装置２の状態判定部２０ａが車両９の状態が走行状態か停車状態かを判定する。そして、表示制御装置２のモード設定部２０ｂは、車両９の状態が走行状態と判定された場合は動作モードを画像表示モードに設定し、車両９の状態が停車状態と判定された場合は動作モードをミラーモードに設定する。これにより、ユーザが操作を行わなくても、車両９の状態に適した動作モードに変更される。
【００５１】
図６は、画像表示システム１０の処理の流れを示す図である。図６に示す処理は、所定の周期（例えば、１／３０秒周期）で繰り返し実行される。
【００５２】
まず、表示制御装置２の状態判定部２０ａが、車両９の状態を判定する状態判定処理を実行する（ステップＳ１）。図７は、状態判定処理の詳細な流れを示す図である。
【００５３】
状態判定処理においては、まず、状態判定部２０ａが現時点の車両９の速度を取得する（ステップＳ１１）。状態判定部２０ａは、信号受信部２６が車速センサ９１から受信する速度信号に基づいて車両９の速度を取得する。
【００５４】
次に、状態判定部２０ａは、取得した車両９の速度と、閾値となる所定速度（例えば、０．１ｋｍ／ｈ。以下、「閾値速度」という。）とを比較する（ステップＳ１２）。
【００５５】
そして、状態判定部２０ａは、車両９の速度が閾値速度を超える場合は（ステップＳ１２にてＹｅｓ）、車両９の状態は走行状態であると判定する（ステップＳ１３）。一方、状態判定部２０ａは、車両９の速度が閾値速度以下の場合は（ステップＳ１２にてＮｏ）、車両９の状態は停車状態であると判定する（ステップＳ１４）。
【００５６】
図６に戻り、このように状態判定部２０ａが状態判定処理（ステップＳ１）を実行すると、次に、表示制御装置２のモード設定部２０ｂが、判定された車両９の状態を受け取り、車両９の状態に応じて動作モードを設定する（ステップＳ２以降）。
【００５７】
車両９の状態が走行状態と判定された場合は（ステップＳ２にてＹｅｓ）、モード設定部２０ｂは、動作モードを画像表示モードに設定する（ステップＳ３）。以降は、動作制御部２０ｃの制御により、画像表示システム１０の各処理部が画像表示モードに応じた動作を行う。
【００５８】
すなわち、画像取得部２１がカメラ１から撮影画像を取得し（ステップＳ４）、画像処理部２２が表示装置３への表示に適するように撮影画像に画像処理を行い（ステップＳ５）、画像出力部２３が撮影画像を表示装置３に出力する。これにより、表示装置３が、車両９の周辺の後方の被写体を含む撮影画像を表示画面３０に表示する（ステップＳ６）。これにより、ユーザは、車両９の周辺の後方の様子を確認することができる。
【００５９】
一方、車両９の状態が停車状態と判定された場合は（ステップＳ２にてＮｏ）、モード設定部２０ｂは、動作モードをミラーモードに設定する（ステップＳ７）。以降は、動作制御部２０ｃの制御により、画像表示システム１０の各処理部がミラーモードに応じた動作を行う。
【００６０】
具体的には、動作制御部２０ｃが表示装置３に停止信号を送出し、バックライト３１をオフにして表示装置３を非表示状態にする（ステップＳ８）。その結果、表示装置３の表示画面３０が可視光線を反射するミラーとして機能する。これにより、ユーザは、車室内の後部の同乗者や荷物の様子を確認できる。
【００６１】
なお、ミラーモードでは撮影画像は不要となるため、動作制御部２０ｃは、カメラ１などの撮影画像に関わる処理部をオフとしてもよい。このように、バックライト３１とともに、撮影画像に関わる処理部をオフとすることにより、ミラーモードにおいて消費電力を有効に低減することができる。
【００６２】
以上のように、第１の実施の形態の画像表示システム１０においては、表示装置３の表示画面３０は前面側にハーフミラー３３を有している。また、表示制御装置２の画像取得部２１は車両９の周辺を撮影するカメラ１の撮影画像を取得する。画像表示システム１０は動作モードとして、表示装置３に撮影画像を表示させる画像表示モードと、表示装置３を非表示状態にして表示画面３０をミラーとして機能させるミラーモードとを備えている。そして、状態判定部２０ａは車両９に係る信号に基づいて車両９の状態を判定し、モード設定部２０ｂが車両９の状態に応じて動作モードを設定する。
【００６３】
このように、車両９の状態に応じて動作モードを設定するため、ユーザが操作を行わなくても車両９の状態に適した動作モードに変更できる。
【００６４】
また、状態判定部２０ａは、車両９の状態が走行状態か停車状態かを判定する。そして、モード設定部２０ｂは、車両９の状態が走行状態と判定された場合は動作モードを画像表示モードに設定する。このため、ユーザは車両９の周辺の様子を確認できる。一方で、モード設定部２０ｂは、車両９の状態が停車状態と判定された場合は動作モードをミラーモードに設定する。このため、ユーザは車室内の様子を確認できる。
【００６５】
また、状態判定部２０ａは、車両９の速度を示す速度信号に基づいて車両９の状態が走行状態か停車状態かを判定するため、車両９の状態を容易に判定することができる。
【００６６】
＜２．第２の実施の形態＞
次に、第２の実施の形態について説明する。第２の実施の形態の画像表示システム１０の構成や処理は第１の実施の形態とほぼ同様であるため、以下、第１の実施の形態との相違点を中心に説明する。第１の実施の形態では、状態判定部２０ａは車両９の速度を示す速度信号に基づいて車両９の状態が走行状態か停車状態かを判定していた。これに対して、第２の実施の形態では、状態判定部２０ａは車両９のシフトポジションを示すシフト信号に基づいて車両９の状態が走行状態か停車状態かを判定する。
【００６７】
第２の実施の形態の画像表示システム１０の処理は、状態判定処理（図６のステップＳ１）のみが第１の実施の形態と相違する。図８は、第２の実施の形態の状態判定処理の詳細な流れを示す図である。
【００６８】
まず、状態判定部２０ａが現時点の車両９のシフトポジションを取得する（ステップＳ２１）。状態判定部２０ａは、信号受信部２６がシフトセンサ９２から受信するシフト信号に基づいて車両９のシフトポジションを取得する。
【００６９】
次に、状態判定部２０ａは、車両９のシフトポジションが、パーキング（Ｐ）、リバース（Ｒ）、ニュートラル（Ｎ）及びドライブ（Ｄ）のいずれであるかを判定する（ステップＳ２２）。
【００７０】
そして、状態判定部２０ａは、車両９のシフトポジションがドライブ（Ｄ）またはリバース（Ｒ）であれば（ステップＳ２２にてＹｅｓ）、車両９の状態は走行状態であると判定する（ステップＳ２３）。一方、車両９のシフトポジションがパーキング（Ｐ）またはニュートラル（Ｎ）であれば（ステップＳ２２にてＮｏ）、車両９の状態は停車状態であると判定する（ステップＳ２４）。
【００７１】
状態判定部２０ａが状態判定処理を実行した以降における画像表示システム１０の処理は、第１の実施の形態と同様である（図６）。したがって、モード設定部２０ｂは、車両９の状態が走行状態と判定された場合は動作モードを画像表示モードに設定し（ステップＳ３）、車両９の状態が停車状態と判定された場合は動作モードをミラーモードに設定する（ステップＳ７）。
【００７２】
以上のように、第２の実施の形態の画像表示システム１０においては、状態判定部２０ａは、車両９のシフトポジションを示すシフト信号に基づいて車両９の状態が走行状態か停車状態かを判定する。このため、車両９の状態を容易に判定することができる。
【００７３】
また、状態判定部２０ａは、車両９の速度に係わらず車両９の状態が走行状態か停車状態かを判定するため、車両９が短時間の停車と走行とを繰り返す場合でも動作モードが維持されることから、ユーザは表示装置３を安定して利用することができる。
【００７４】
＜３．第３の実施の形態＞
次に、第３の実施の形態について説明する。第３の実施の形態の画像表示システム１０の構成や処理は第１の実施の形態とほぼ同様であるため、以下、第１の実施の形態との相違点を中心に説明する。第１の実施の形態では、状態判定部２０ａは車両９の速度を示す速度信号のみに基づいて車両９の状態が走行状態か停車状態かを判定していた。これに対して、第３の実施の形態では、状態判定部２０ａは、速度信号とシフト信号との双方に基づいて車両９の状態を判定する。また、状態判定部２０ａは、車両９の状態を、走行状態、停車状態及び後退状態の３つの状態のいずれであるかを判定する。
【００７５】
図９は、第３の実施の形態の画像表示システム１０の処理の流れを示す図である。図９に示す処理の流れにおいてステップＳ１ａ，Ｓ２ａの処理のみが、第１の実施の形態の処理（図６のステップＳ１，Ｓ２）と相違する。
【００７６】
まず、状態判定部２０ａが、車両９の状態を判定する状態判定処理を実行する（ステップＳ１ａ）。図１０は、第３の実施の形態の状態判定処理（ステップＳ１ａ）の詳細な流れを示す図である。
【００７７】
状態判定処理においては、まず、状態判定部２０ａが現時点の車両９の速度及びシフトポジションを取得する（ステップＳ３１）。状態判定部２０ａは、速度信号に基づいて車両９の速度を取得し、シフト信号に基づいて車両９のシフトポジションを取得する。
【００７８】
次に、状態判定部２０ａは、車両９のシフトポジションがドライブ（Ｄ）であるか否かを判定する（ステップＳ３２）。
【００７９】
車両９のシフトポジションがドライブ（Ｄ）の場合は（ステップＳ３２にてＹｅｓ）、第１の実施の形態と同様に、状態判定部２０ａは車両９の速度に応じて、車両９の状態が走行状態か停車状態かを判定する。すなわち、状態判定部２０ａは、車両９の速度と閾値速度とを比較する（ステップＳ３３）。そして、状態判定部２０ａは、車両９の速度が閾値速度を超える場合は車両９の状態は走行状態であると判定し（ステップＳ３４）、車両９の速度が閾値速度以下の場合は車両９の状態は停車状態であると判定する（ステップＳ３６）。
【００８０】
また、車両９のシフトポジションがドライブ（Ｄ）でない場合は（ステップＳ３２にてＮｏ）、次に、状態判定部２０ａは、車両９のシフトポジションがリバース（Ｒ）であるか否かを判定する（ステップＳ３５）。
【００８１】
車両９のシフトポジションがリバース（Ｒ）の場合は（ステップＳ３５にてＹｅｓ）、状態判定部２０ａは、車両９の速度に係わらず車両９の状態が後退状態であると判定する（ステップＳ３７）。
【００８２】
また、車両９のシフトポジションがパーキング（Ｐ）またはニュートラル（Ｎ）であれば（ステップＳ３５にてＮｏ）、状態判定部２０ａは、車両９の状態は停車状態であると判定する（ステップＳ３６）。
【００８３】
図９に戻り、このように状態判定部２０ａが状態判定処理（ステップＳ１ａ）を実行すると、次に、モード設定部２０ｂが、判定された車両９の状態を受け取り、車両９の状態に応じて動作モードを設定する（ステップＳ２ａ以降）。
【００８４】
車両９の状態が走行状態、または、後退状態と判定された場合は（ステップＳ２ａにてＹｅｓ）、モード設定部２０ｂは、動作モードを画像表示モードに設定する（ステップＳ３）。以降は、第１の実施の形態と同様に、動作制御部２０ｃの制御により、画像表示システム１０の各処理部が画像表示モードに応じた動作を行う。
【００８５】
一方、判定された車両９の状態が停車状態と判定された場合は（ステップＳ２ａにてＮｏ）、モード設定部２０ｂは、動作モードをミラーモードに設定する（ステップＳ７）。以降は、第１の実施の形態と同様に、動作制御部２０ｃの制御により、画像表示システム１０の各処理部がミラーモードに応じた動作を行う。
【００８６】
以上のように、第３の実施の形態の画像表示システム１０においては、車両９のシフトポジションがドライブ（Ｄ）の場合は、状態判定部２０ａは、車両９の速度に応じて車両９の状態が走行状態か停車状態かを判定する。一方、車両９のシフトポジションがリバーう（Ｒ）の場合は、状態判定部２０ａは、車両９の速度に係わらず車両９の状態は後退状態と判定する。そして、モード設定部２０ｂは、車両９の状態が走行状態及び後退状態のいずれかと判定された場合は動作モードを画像表示モードに設定し、車両９の状態が停車状態と判定された場合は動作モードをミラーモードに設定する。
【００８７】
車両９を駐車させる場合などにおいては、ユーザは、シフトポジションをリバース（Ｒ）にして短時間の停車と走行とを繰り返すことが多い。このような場合に、車両９の停車と走行とに応じて動作モードが頻繁に変更されると、ユーザは車両９の周辺の様子を安定して確認することが難しくなる。第３の実施の形態の画像表示システム１０では、車両９のシフトポジションがリバース（Ｒ）の場合は、車両９の速度に関わらず動作モードが画像表示モードに維持される。このため、車両９が短時間の停車と走行とを繰り返す場合でも動作モードが画像表示モードに維持されることから、ユーザは、車両９の周辺の様子を安定して確認できる。
【００８８】
＜４．第４の実施の形態＞
次に、第４の実施の形態について説明する。第４の実施の形態の画像表示システム１０の構成や処理は第１の実施の形態とほぼ同様であるため、以下、第１の実施の形態との相違点を中心に説明する。第１の実施の形態では、状態判定部２０ａは、車両９の速度と速度閾値との比較結果を直接的に用いて車両９の状態を判定していた。これに対して、第４の実施の形態では、状態判定部２０ａは、車両９の速度と速度閾値との比較結果として同一の状態が継続する場合に、車両９の状態を判定する。
【００８９】
第４の実施の形態の画像表示システム１０の処理は、状態判定処理（図６のステップＳ１）のみが第１の実施の形態と相違する。図１１は、第４の実施の形態の状態判定処理の詳細な流れを示す図である。
【００９０】
まず、状態判定部２０ａが現時点の車両９の速度を取得する（ステップＳ４１）。状態判定部２０ａは、信号受信部２６が車速センサ９１から受信する速度信号に基づいて車両９の速度を取得する。
【００９１】
次に、状態判定部２０ａは、取得した車両９の速度をデータとして記憶部２５に記憶させる（ステップＳ４２）。前述のように、画像表示システム１０の処理は所定の周期で繰り返される。状態判定部２０ａはステップＳ４２の処理を繰り返すことになるため、繰り返し取得する速度のデータを順次に記憶部２５に記憶させる。状態判定部２０ａは、直近の少なくとも所定時間（例えば、３秒間）分の速度のデータを記憶部２５に記憶させる。
【００９２】
次に、状態判定部２０ａは、現時点で判定している車両９の状態を確認する（ステップＳ４３）。
【００９３】
ステップＳ４３において現時点で判定している車両９の状態が走行状態であれば、状態判定部２０ａは、車両９の速度が速度閾値以下の状態が継続しているか否かを判定する（ステップＳ４６）。状態判定部２０ａは、記憶部２５に記憶された直近の所定時間分の速度のデータを参照して、車両９の速度が速度閾値以下の状態が所定時間（例えば、３秒間）継続しているか否かを判定する。
【００９４】
そして、車両９の速度が速度閾値以下の状態が継続している場合は（ステップＳ４６にてＹｅｓ）、状態判定部２０ａは、車両９の状態は停車状態であると判定する（ステップＳ４７）。すなわち、状態判定部２０ａは、車両９の状態が走行状態であるという判定から、車両９の状態が停車状態であるという判定に変更する。一方、車両９の速度が速度閾値以下の状態が継続していない場合は（ステップＳ４６にてＮｏ）、状態判定部２０ａは、車両９の状態が走行状態であるという判定を維持する（ステップＳ４８）。
【００９５】
また、ステップＳ４３において現時点で判定している車両９の状態が停車状態であれば、状態判定部２０ａは、車両９の速度が速度閾値を超える状態が継続しているか否かを判定する（ステップＳ４４）。状態判定部２０ａは、記憶部２５に記憶された直近の所定時間分の速度のデータを参照して、車両９の速度が速度閾値を超える状態が所定時間（例えば、３秒間）継続しているか否かを判定する。
【００９６】
そして、車両９の速度が速度閾値を超える状態が継続している場合は（ステップＳ４４にてＹｅｓ）、状態判定部２０ａは、車両９の状態は走行状態であると判定する（ステップＳ４５）。すなわち、状態判定部２０ａは、車両９の状態が停車状態であるという判定から、車両９の状態が走行状態であるという判定に変更する。一方、車両９の速度が速度閾値を超える状態が継続していない場合は（ステップＳ４４にてＮｏ）、状態判定部２０ａは、車両９の状態が停車状態であるという判定を維持する（ステップＳ４７）。
【００９７】
状態判定部２０ａが状態判定処理を実行した以降における画像表示システム１０の処理は、第１の実施の形態と同様である（図６）。したがって、モード設定部２０ｂは、車両９の状態が走行状態と判定された場合は動作モードを画像表示モードに設定し（ステップＳ３）、車両９の状態が停車状態と判定された場合は動作モードをミラーモードに設定する（ステップＳ７）。
【００９８】
以上のように、第４の実施の形態の画像表示システム１０においては、状態判定部２０ａは、車両９の速度が閾値速度以下の状態が所定時間継続した場合に、車両９の状態が停車状態と判定する。したがって、車両９の速度が閾値速度以下の状態が所定時間継続するまで車両９の状態が停車状態と判定されない。また、状態判定部２０ａは、車両９の速度が閾値速度を超える状態が所定時間継続した場合に、車両９の状態が走行状態と判定する。したがって、車両９の速度が閾値速度を超える状態が所定時間継続するまで車両９の状態が走行状態と判定されない。
【００９９】
このように状態判定部２０ａは、車両９の速度と速度閾値との比較結果として同一の状態が所定時間継続する場合にのみ車両９の状態に関する判定を変更する。このため、状態判定部２０ａは、車両９の状態を一旦判定した場合はその判定を頻繁には変更しない。したがって、車両９が短時間の走行と停車とを繰り返す場合でも動作モードが頻繁に変更されないことから、ユーザは表示装置３を安定して利用できる。また、速度信号などに瞬間的に混入するノイズの影響を受けないため、状態判定部２０ａが車両９の状態を誤判定することを防止できる。
【０１００】
＜５．変形例＞
以上、本発明の実施の形態について説明してきたが、この発明は上記実施の形態に限定されるものではなく様々な変形が可能である。以下では、このような変形例について説明する。上記実施の形態及び以下で説明する形態を含む全ての形態は、適宜に組み合わせ可能である。
【０１０１】
例えば、上記実施の形態では、カメラ１は車両の周辺の後方を撮影するものであったが、車両の周辺の後方以外の方向を撮影するものであってもよい。また、表示装置３の位置は上記実施の形態で説明した位置に限定されず、車両９の車室内の他の位置に配置されてもよい。
【０１０２】
また、上記実施の形態では、モード設定部２０ｂが車両９の状態に応じて動作モードを変更しているが、ユーザが操作ボタン４などを操作することで車両９の状態に係わらずに動作モードを変更できるようになっていてもよい。この場合は、ユーザの操作から一定時間が経過するまで、あるいは、ユーザから所定の指示があるまで、車両９の状態に応じて動作モードを設定するモード設定部２０ｂの機能を無効化すればよい。
【０１０３】
また、上記実施の形態では、バックライト３１をオフにすることで表示装置３を非表示状態にしていた。これに対して、表示装置３に「黒画」を表示させる、あるいは、表示装置３への画像信号を停止するなどの他の手法で表示装置３を非表示状態にしてもよい。「黒画」とは、含まれる各画素の明るさの値（輝度、明度など）がおよそ０となる画像である。例えば、画素の値がＲＧＢで表される場合はＲ≒０，Ｇ≒０，Ｂ≒０となる画像であり、例えば、画素の値がＹＣｒＣｂで表される場合はＹ≒０となる画像である。
【０１０４】
また、上記実施の形態では、車両９の速度を示す速度信号、あるいは、シフトポジションを示すシフト信号に基づいて、車両９の状態を判定していた。これに対して、パーキングブレーキの作動状態を示す信号など、車両９に係る他の信号に基づいて車両９の状態を判定してもよい。例えば、パーキングブレーキが作動している場合は、車両９の状態は停車状態と判定することができる。
【０１０５】
また、上記実施の形態では、画像表示システム１０の動作モードは、画像表示モードとミラーモードとの２つであったが、画像表示モード及びミラーモード以外の動作モードを含んでいてもよい。
【０１０６】
また、上記実施の形態において一つのブロックとして説明した機能は必ずしも単一の物理的要素によって実現される必要はなく、分散した物理的要素によって実現されてよい。また、上記実施の形態で複数のブロックとして説明した機能は単一の物理的要素によって実現されてもよい。また、車両内の装置と車両外の装置とに任意の一つの機能に係る処理を分担させ、これら装置間において通信によって情報の交換を行うことで、全体として当該一つの機能が実現されてもよい。
【０１０７】
また、上記実施の形態においてプログラムの実行によってソフトウェア的に実現されると説明した機能の全部又は一部は電気的なハードウェア回路により実現されてもよく、ハードウェア回路によって実現されると説明した機能の全部又は一部はソフトウェア的に実現されてもよい。また、上記実施の形態において一つのブロックとして説明した機能が、ソフトウェアとハードウェアとの協働によって実現されてもよい。
【符号の説明】
【０１０８】
１    カメラ
２    表示制御装置
３    表示装置
２０ａ    状態判定部
２０ｂ    モード設定部
３０    表示画面
３１    バックライト
３２    液晶パネル
３３    ハーフミラー
【図１】
2017058600.tif 000003
【図２】
2017058600.tif 000004
【図３】
2017058600.tif 000005
【図４】
2017058600.tif 000006
【図５】
2017058600.tif 000007
【図６】
2017058600.tif 000008
【図７】
2017058600.tif 000009
【図８】
2017058600.tif 000010
【図９】
2017058600.tif 000011
【図１０】
2017058600.tif 000012
【図１１】
2017058600.tif 000013